(57)【要約】      （修正有）【課題】植物の種等の発芽促進、防除などに役立つ担体あるいは混合物を提供する。【解決手段】担体は、ひる石、パーライト、ゼオライト、セルロース材料、焼成粘土、岩綿または類似の物質からなる物質を一つ以上含む。結合剤は、ポリビニルアルコール、ポリエチレングリコール、あるいは水または多糖類含有水などのその他の植物適合性結合剤、もしくはそれらの混合物を含む。添加剤は、植物保護剤、植物栄養剤、界面活性剤、水吸収物質、水伝達物質、ならびに発芽および植物成長に好ましい影響をもたらすその他の添加剤を含んでなる。【選択図】なし【特許請求の範囲】
【請求項１】
混合物が、０．３〜３．０ｍｍの粒子サイズの粒子であること、および担体が、粒状発泡ひる石、パーライト、ゼオライト、焼成粘土、鉱物繊維から選択される一つ以上の物質を含んでなること、ならびに添加剤が、結合剤を用いて担体に不変的に結合されると共に、農薬、殺虫剤、殺菌剤、ウィルス、およびバクテリアの培養物、菌類の培養物、菌類の胞子、マイクロカプセル化された殺菌剤、益虫の卵、化学肥料、酵素、動物駆除剤、ホルモン、ｐＨ調整剤、炭素、粘土粒子、微量元素、木部繊維または木の粉末、珪藻土、界面活性剤、吸水性物質、ならびにシリカからなる群から選ばれる物質を一つ以上含んでなり、いくつかの物質は、マイクロカプセル化された形状で利用可能であり、また結合剤は、ポリビニルアルコール、ポリエチレングリコール、またはその他の植物適合性結合剤、もしくはそれらの混合物を含んでなることを特徴とする、ユニットを切離して、あるいは種子または植物テープの形状に凝集して利用可能であるような種子またはそれに類似する植物の成長に適した部分を含む発芽ユニットに用いるための担体および添加剤の混合物。
【請求項２】
前記吸水性物質として高吸収性ポリマー（ＳＡＰ）を含み、該高吸収性ポリマーが、カリウム塩／アンモニウム塩の形態のポリアクリルアミドまたは架橋結合アクリルアミド／アクリル酸であり、乾燥状態で混合物の少なくとも３重量％に相当することを特徴とする、請求項１に記載の混合物。
【請求項３】
カリウム塩／アンモニウム塩の形態のポリアクリルアミドまたは架橋結合アクリルアミド／アクリル酸が乾燥状態で混合物の少なくとも４重量％に相当することを特徴とする、請求項２に記載の混合物。
【請求項４】
吸水性物質が、カルボキシメチルセルロース（ＣＭＣ）であり、乾燥状態で混合物の少なくとも６重量％、最大１５重量％に相当することを特徴とする、請求項１に記載の混合物。
【請求項５】
ひる石が０．５から２．５ｍｍに相当する細度を有し、乾燥状態で混合物の８０から９５重量％に相当することを特徴とする、請求項１から４のいずれか一項に記載の混合物。
【請求項６】
結合剤が、乾燥状態で混合物の０．１から５重量％に相当する量で存在するポリビニルアルコールであることを特徴とする、請求項１から５のいずれか一項に記載の混合物。
【請求項７】
結合剤が、乾燥状態で混合物の０．１から５重量％の量で存在するポリエチレングリコール３００であることを特徴とする、請求項１から５のいずれか一項に記載の混合物。
【請求項８】
結合剤が、乾燥状態で混合物の０．１から５重量％の量で存在する多糖類であることを特徴とする、請求項１から５のいずれか一項に記載の混合物。
【請求項９】
鉱物繊維が岩綿であることを特徴とする、請求項１に記載の混合物。
【請求項１０】
担体、結合剤および添加剤（複数を含む）を攪拌器内で少なくとも３０分間混合し、０．３から３．０ｍｍの粒子サイズの粒子を形成することを特徴とする、請求項１から９のいずれか一項に記載の混合物を製造する方法。
【請求項１１】
粒子サイズが０．６から１．５ｍｍであることを特徴とする、請求項１０に記載の方法。
【請求項１２】
少なくとも０．１５ｇの少なくとも１％ＰＶＡ水溶液または少なくとも０．１５ｇの少なくとも１％多糖類水溶液を担体としての１ｇのひる石に対して結合剤として用いることを特徴とする、請求項１０に記載の方法。
【発明の詳細な説明】
【技術分野】
【０００１】
本発明は、種子または類似の植物の成長に適した部分を含む発芽ユニットに用いるための担体および添加剤の混合物に関し、この場合、発芽ユニットは切離して、または種子または植物テープとして凝集して利用可能である。
【背景技術】
【０００２】
欧州特許公報ＥＰ０，３８０，４４８号は、例えば、ペレット成形機によって種子のまわりに共にプレスされるひる石、結合剤、水吸収性材料および添加剤で被膜が造られる被覆された種子を含んでなる種子ペレットを開示している。この種子ペレットは、畑に直接まかれるためのものであり、実際の発芽ユニット内の小区画に配置される種子ペレットについては何も述べられておらず、分離型の発芽ユニットに関しても、種子または植物テープ中の発芽ユニットに関しても述べられていない。
【０００３】
欧州特許公報ＥＰ０，２６０，１０６号は、ひる石、パーライトおよびゲル形成材料を水中で混合して、前記混合物を植物栄養剤と混合することによって製造される植物成長媒体を開示している。この混合物を乾燥して、種子を含むシート、ペレット、粒体などに成形する。吸水性材料を用いもせず、混合物を発芽ユニット内の小区画に挿入する事もない。吸水性材料でなければ、十分な湿気と同時に十分な空気が植物の根のまわりに存在することはもはや確かではない。
【０００４】
欧州特許公報ＥＰ０，３７３，３４８号は、植物用成長媒体を開示している。この成長媒体は、例えば、ひる石、パーライト、およびこれらに類するもの、ならびに木炭または活性炭、加えてポリアクリルアミド（ＳＡＰ）、加えてことによると泥炭コケなどの充填剤を含む。しかし、製造される媒体は、ポリアクリルアミドを充填剤に付着させることによって、前記媒体中に均一に分散するようにできる結合剤を含まない。
【０００５】
上記のいずれの混合物も上記発芽ユニットに完璧に満足の行く効果をもたらさない。
【先行技術文献】
【特許文献】
【０００６】
【特許文献１】欧州特許公報ＥＰ０，３８０，４４８号
【特許文献２】欧州特許公報ＥＰ０，２６０，１０６号
【特許文献３】欧州特許公報ＥＰ０，３７３，３４８号
【発明の概要】
【０００７】
発明の簡単な記載
本発明の目的は、上記発芽ユニットに特に適し、さらに安価であり、また、一旦、前記種子を発芽ユニットに設置すると、空気が種子および成長中の植物の根に達することを妨げることなく、必要に応じて放出される保留予備水を十分多量に種子に提供するような上記タイプの混合物を提供することである。
【０００８】
本発明のもう一つの目的は、発芽および成長条件を調整するための、ならびに病気や菌類、ウィルス、バクテリア、昆虫からの攻撃と闘うためのあらゆる性質の天然添加剤、化学添加剤、生物添加剤のいずれをも、特定の作用に応じて保留し、放出することに適する担体を含んでなる混合物を提供することである。
【０００９】
本発明による混合物は、担体が、粒状発泡ひる石、パーライト、ゼオライト、木部繊維、ミズゴケなどのセルロース材料、焼成粘土、岩綿またはその他類似の物質などの鉱物繊維、からなる物質を一つ以上含んでなること、および添加物が、任意に結合剤を用いて担体に不変的にまたはゆるく結合されるとともに、除草剤を包含する農薬、殺虫剤、特に浸透殺虫剤、殺菌剤、ウィルス、およびバクテリアの培養物、トリコデルマなどの菌類の培養物、菌類の胞子、マイクロカプセル化された殺菌剤、捕食性の線虫などの益虫の卵、化学肥料、酵素、ホルモン、動物駆除剤、ｐＨ調整剤、炭素、粘土粒子、モリブデンなどの微量元素、木部繊維または木の粉末、珪藻土、界面活性剤、高吸収性ポリマー（ＳＡＰ）またはカルボキシメチルセルロース（ＣＭＣ）などの吸水性物質、シリカ、ならびに発芽および植物成長に好ましい影響を与えるその他の添加剤からなる群の範囲内の物質を一つ以上含んでなり、この場合、いくつかの物質は、マイクロカプセル化された形状で利用可能であり、それによって生物分解に対する改善された方法で保護され、また結合剤は、ポリビニルアルコール、ポリエチレングリコール、あるいは水または多糖類含有水などのその他の植物適合性結合剤、もしくはそれらの混合物を含んでなることを特徴とする。最適な比率の空気／水分を種子および根のまわりに常に加えるような、特に良好な発芽および／または成長条件を種子に提供するため、この混合物は現実的に特に有利であることが判明した。ひる石の使用は有利な高細孔容積を確保し、その結果として植物の生命機能に必要不可欠である２０体積％以上の自由空気およびＭｇ＋＋とＣａ＋＋の間の完全なイオン交換を保証する。
【００１０】
本発明によると、使用される高吸収性ポリマー（ＳＡＰ）が、例えば、カリウム塩／アンモニウム塩の形態のポリアクリルアミドまたは架橋結合アクリルアミド／アクリル酸（Ｓｔｏｃｋｏｓｏｒｂ  ４００Ｋ）であり、乾燥状態で混合物の少なくとも３重量％に相当すると有利である。この混合物は、特に良好な吸水容量を有し、浸透により水を再び放出することができる。
【００１１】
さらに、本発明によると、使用される吸水性物質は、混合物の少なくとも６から２０重量％、好ましくは８から１５重量％に相当するカルボキシメチルセルロース（ＣＭＣ）であってもよい。この実施態様は、特に環境的に許容される。
【００１２】
結合剤が、乾燥状態で混合物の０．１から５重量％に相当する量で存在するポリビニルアルコールであると、前記混合物の粒状構造への干渉がない、混合物の材料の特に良好な結合性が得られる。
【００１３】
ひる石が０．５から２．５ｍｍ、特に１．０から２．０ｍｍに相当する細度で存在し、乾燥状態で混合物の８０から９５重量％に相当すると有利である。
【００１４】
結合剤がポリエチレングリコール３００（ＰＯＬＹＤＩＯＬ）であると、さらに有利である。
【００１５】
本発明は、本発明による混合物を製造する方法にも関し、この方法は、微粒子状発泡ひる石、結合剤、高吸収性ポリマーなどの吸水性物質、およびさらに添加剤を攪拌器内で少なくとも３０分間混合して、０．３から３．０ｍｍ、好ましくは０．６から１．５ｍｍの粒子サイズの注入可能な粒子を形成することを特徴とする。この方法は、本発明による混合物を製造するために特に簡単な方法である。
【００１６】
本発明による方法の特に有利な実施態様は、少なくとも０．１５ｇの少なくとも１％ＰＶＡ水溶液、または少なくとも０．１５ｇの少なくとも１％多糖類水溶液を１ｇのひる石に対して結合剤として用いることを特徴とする。
【発明を実施するための形態】
【００１７】
いくつかの実施例を参照して、以下で本発明を説明する。
【実施例１】
【００１８】
本発明による混合物は、２００〜６００μの間の粒子サイズのＳｔｏｃｋｏｓｏｒｂ  ４００Ｋ（高吸収性ポリマー）２００ｇを２．２ｇのトリコデルマ胞子と混合することによって製造した。次にこの混合物を１．０から２．０ｍｍの粒子サイズのひる石５ｋｇと攪拌器内で約１０分間混合した。攪拌器を作動させながら、次に、結合剤として２５０ｍｌの霧状の水をスプレーガンを用いて３から４分の間に攪拌器に送りこむようにして添加した。そして、高吸収性ポリマーがひる石に付着して混合物成分の均一な分散が得られるように、さらに１０分間攪拌器を作動した。この後、混合物は乾燥して安定した感じであった。完成した混合物は発送に耐え、本明細書の冒頭部で言及した発芽ユニットに特に適した。
【実施例２】
【００１９】
実施例１と同じ手順に従ったが、ここでは、２５０ｍｌの水の代わりに５５ｍｌの９０％プロピルアルコールを用いた。さらに、出発混合物は、Ｓｔｏｃｋｏｓｏｒｂおよびトリコデルマ胞子に加えてガウチョ（ＧＡＵＣＨＯ）（登録商標）の形態で少量の浸透殺虫剤を含んだ。浸透殺虫剤は、非常に小さな粒子サイズで、ほぼ粉末形状のものであった。この混合物は、上記発芽ユニット内の種子および植物への昆虫の攻撃に対する特に良好な防護を提供する。
【実施例３】
【００２０】
実施例１と同じ手順に従ったが、ここでは、２５０ｍｌの水の代わりに１０重量％の多糖類と水の混合液を用いた。結果として、完成した混合物に改善された凝集力を得た。多糖類は、添加された菌類の培養物、すなわちトリコデルマ胞子のための栄養剤としての役割も同時に果たした。
【実施例４】
【００２１】
実施例１と同じ手順に従ったが、ここでは、ひる石の代わりに約１から３ｍｍの繊維長の木部繊維、更に具体的には、リグニン繊維を用いた。結果として、特に安価な混合物が得られた。
【実施例５】
【００２２】
実施例１と同じ手順に従ったが、ここでは、ひる石の代わりに１０ｋｇの鉱物繊維（Ｒｏｃｋｗｏｏｌ、登録商標）を用いた。繊維のサイズは１から５ｍｍであった。Ｓｔｏｃｋｏｓｏｒｂおよびトリコデルマ胞子の出発混合物は、モリブデンおよびリン酸緩衝液の形態のｐＨ調整剤を含む少量の添加剤とさらに混合した。完成した混合物は、カリフラワーの種子を含む発芽ユニットに特に適した。
【００２３】
「鉱物繊維」という用語は、この場合には、岩綿、ガラスウール、およびその他類似の物質として解釈されるべきである。
【外国語明細書】
2010268802000001.pdf